(57)【要約】      （修正有）【課題】傘を閉じた際に付着している雨滴が周囲に落下したり、衣服等を濡らさず、傘を開閉する際の操作性や傘を閉じた際のコンパクト化、見栄え等を備えた収納自在傘の提供。【解決手段】傘を開く際には、操作部材８０がスリット孔３３を介して操作され、軸部材６０、先端部材７０、傘骨１０、支骨２０、移動部材４０等が外筒部材３０内を移動し、移動部材４０が規制部材５０にて停止すると、その軸中心を軸部材６０が摺動し、最終的に操作部材８０がスリット孔３３の先端に当接され傘の開き側となる。傘を閉じる際には操作部材８０が逆方向に操作される。この際、傘生地１の雨滴を受ける側が、内側となって外筒部材３０に収納されるため雨滴の周囲への飛散が少なく、このまま先端側を上にして持ち歩けば、傘本体が外筒部材３０内に収納状態であるため雨滴が周囲に付着して迷惑をかけることもない。【選択図】図１
2006262957.tif 000002
【特許請求の範囲】
【請求項１】
傘生地の雨滴を受ける側が、傘を閉じた際に内側となって収納され、その長さ方向にスリット孔が形成された外筒部材と、
前記傘生地が張られた複数の傘骨の各々の中間部位を一端にて軸支した複数の支骨の他端を軸支すると共に、前記外筒部材の内壁面に沿って進退自在に配設された移動部材と、
傘を開く際に前記移動部材の移動を前記外筒部材の端部で停止させる規制部材と、
前記傘生地の略中心部位を端部に固定すると共に、前記複数の傘骨の根元端を端部で軸支し、前記移動部材の軸中心を貫通して摺動自在に配設された先端軸部材と、
前記先端軸部材の他端部に固定され、前記外筒部材のスリット孔を介して前記先端軸部材を長さ方向に進退自在とする前記外筒部材に配設された操作部材と
を具備することを特徴とする収納自在傘。
【請求項２】
傘生地の雨滴を受ける側が、傘を閉じた際に内側となって収納され、その長さ方向にスリット孔が形成された外筒部材と、
前記傘生地が張られた複数の傘骨の各々の中間部位を一端にて軸支した複数の支骨の他端を軸支すると共に、前記外筒部材の内壁面に沿って進退自在に配設された移動部材と、
傘を開く際に前記移動部材の移動を前記外筒部材の端部で停止させる規制部材と、
前記複数の傘骨の根元端を端部で軸支する先端部材と、
前記傘生地の略中心部位及び前記先端部材を端部に固定すると共に、前記移動部材の軸中心を貫通して摺動自在に配設された軸部材と、
前記軸部材の他端部に固定され、前記外筒部材のスリット孔を介して前記軸部材を長さ方向に進退自在とする前記外筒部材に配設された操作部材と
を具備することを特徴とする収納自在傘。
【請求項３】
更に、前記外筒部材及び／または前記操作部材内に配設され、傘の開き側に前記操作部材を付勢する弾性部材と、
傘を閉じた際に前記弾性部材の付勢力が及ばないように前記操作部材を保持する保持手段とを具備することを特徴とする請求項１または請求項２に記載の収納自在傘。
【請求項４】
前記保持手段は、前記外筒部材のスリット孔の手元端を略Ｊ字状とし、傘を閉じた状態で、前記操作部材を前記スリット孔の略Ｊ字状の手元端に係合することを特徴とする請求項３に記載の収納自在傘。
【請求項５】
更に、前記複数の傘骨に摺動自在に配設され、先端に前記傘生地の外周部を取付けた取付部材と、
前記傘生地に対して張力が加わる方向に前記取付部材を付勢する弾性部材と
を具備することを特徴とする請求項１乃至請求項３の何れか１つに記載の収納自在傘。
【請求項６】
更に、前記外筒部材のスリット孔の先端を略Ｊ字状とし、傘を開いた状態で、前記操作部材を前記スリット孔の略Ｊ字状の先端に係合することを特徴とする請求項１乃至請求項３、請求項５の何れか１つに記載の収納自在傘。
【請求項７】
更に、前記操作部材と前記移動部材とは、相互間を永久磁石で吸引させることによって相互間の距離を維持することを特徴とする請求項１乃至請求項３、請求項５、請求項６の何れか１つに記載の収納自在傘。
【発明の詳細な説明】
【技術分野】
【０００１】
本発明は、傘を閉じた際に傘本体が収納され持ち運びに便利な収納自在傘に関するものである。
【背景技術】
【０００２】
従来、収納自在傘に関連する先行技術文献としては、特許文献１にて開示されたものが知られている。このものでは、傘に雨滴が付着した状態で車両等に乗車したり、店舗内に入ったりして傘を閉じた際、傘に付着している雨滴が車内や店舗内へ落下するのを防止すると共に、傘に付着している雨滴によって自分や周囲の人の衣服等を濡らすことを防止する技術が示されている。
【特許文献１】特開平６−１０７号公報
【発明の開示】
【発明が解決しようとする課題】
【０００３】
ところで、特許文献１では、傘が開かれている状態から傘軸に対して傘骨等を上方へ押し上げすぼめることにより、傘に張られた傘生地の雨滴を受ける側が、内側となって傘が閉じられた状態とするものである。つまり、この傘を閉じる際には、傘軸に対して通常と逆方向に操作部をスライドさせ、所謂、傘のお猪口（オチョコ）状態を通り越して閉じ側へ操作することによって、当初の目的を達成することができるのである。
【０００４】
このような構造からなる傘は、前述のように、従来のものにはない数々の利点を有しており商品化の要望としては強いものの、傘を開閉する際の操作性や傘を閉じた際のコンパクト化及び見栄え等が考慮されていないため、実際の商品化にはほど遠いものであった。
【０００５】
そこで、この発明はかかる不具合を解決するためになされたもので、傘を閉じた際に付着している雨滴が周囲に落下したり、衣服等を濡らすことがなく、更に、傘を開閉する際の操作性や傘を閉じた際のコンパクト化、見栄え等を兼ね備えた収納自在傘の提供を課題としている。
【課題を解決するための手段】
【０００６】
請求項１の収納自在傘は、傘生地の雨滴を受ける側が、傘を閉じた際に内側となって収納され、その長さ方向にスリット孔が形成された外筒部材と、前記傘生地が張られた複数の傘骨の各々の中間部位を一端にて軸支した複数の支骨の他端を軸支すると共に、前記外筒部材の内壁面に沿って進退自在に配設された移動部材と、傘を開く際に前記移動部材の移動を前記外筒部材の端部で停止させる規制部材と、前記傘生地の略中心部位を端部に固定すると共に、前記複数の傘骨の根元端を端部で軸支し、前記移動部材の軸中心を貫通して摺動自在に配設された先端軸部材と、前記先端軸部材の他端部に固定され、前記外筒部材のスリット孔を介して前記先端軸部材を長さ方向に進退自在とする前記外筒部材に配設された操作部材とを具備するものにおいて、前記外筒部材は、アルミ合金、チタン合金、カーボンファイバ等の軽量で強度のある材料で構成され、スリット孔は長さ方向に直線または若干の曲線として形成されるものである。
【０００７】
また、前記移動部材は、傘生地が張られた複数の傘骨の各々の中間部位を一端にて軸支した複数の支骨の他端を軸支するものであり、前記外筒部材の内壁面に沿って進退自在に配設されたものであるが、一体の構成とすることもできるし、前記複数の支骨の他端を軸支の部品と、前記外筒部材の内壁面に沿って進退自在とする部品との複数部品の組付けで一体とすることもできる。
【０００８】
そして、前記規制部材は、前記移動部材の移動を前記外筒部材の端部で停止させるものであり、前記外筒部材の端部の切り起こし、または、別部材の端部への固着とすることができる。
【０００９】
更に、前記先端軸部材は、傘生地の略中心部位を端部に固定すると共に、前記複数の傘骨の根元端を端部で軸支し、前記移動部材の略軸中心を貫通し、前記移動部材との間を挿通移動自在に配設されたものであればよく、傘生地の略中心部位を端部に固定すると共に、前記複数の傘骨の根元端の軸支の部品と、前記移動部材の略軸中心を貫通する部品とを別部品とし、それを一体化する構成としてもよい。
【００１０】
更にまた、前記操作部材は、前記外筒部材のスリット孔を介して前記先端軸部材を長さ方向に進退自在とするもので、前記先端軸部材と一体に形成することもできるし、別部品として形成することもできる。
【００１１】
請求項２の収納自在傘は、傘生地の雨滴を受ける側が、傘を閉じた際に内側となって収納され、その長さ方向にスリット孔が形成された外筒部材と、前記傘生地が張られた複数の傘骨の各々の中間部位を一端にて軸支した複数の支骨の他端を軸支すると共に、前記外筒部材の内壁面に沿って進退自在に配設された移動部材と、傘を開く際に前記移動部材の移動を前記外筒部材の端部で停止させる規制部材と、前記複数の傘骨の根元端を端部で軸支する先端部材と、前記傘生地の略中心部位及び前記先端部材を端部に固定すると共に、前記移動部材の軸中心を貫通して摺動自在に配設された軸部材と、前記軸部材の他端部に固定され、前記外筒部材のスリット孔を介して前記軸部材を長さ方向に進退自在とする前記外筒部材に配設された操作部材とを具備するものにおいて、前記外筒部材は、アルミ合金、チタン合金、カーボンファイバ等の軽量で強度のある材料で構成され、スリット孔は長さ方向に直線または若干の曲線として形成されるものである。
【００１２】
また、前記移動部材は、傘生地が張られた複数の傘骨の各々の中間部位を一端にて軸支した複数の支骨の他端を軸支するものであり、前記外筒部材の内壁面に沿って進退自在に配設されたものであるが、一体の構成とすることもできるし、前記複数の支骨の他端を軸支の部品と、前記外筒部材の内壁面に沿って進退自在とする部品との複数部品の組付けで一体とすることもできる。
【００１３】
そして、前記規制部材は、前記移動部材の移動を前記外筒部材の端部で停止させるものであり、前記外筒部材の端部の切り起こし、または、別部材の端部への固着とすることができる。
【００１４】
更に、前記先端部材は、前記複数の傘骨の根元端を端部で軸支するものであり、一体の構成とすることもできるし、前記複数の傘骨の根元端を端部で軸支の部品と、前記軸部材に固定する部品との複数部品の組付けで一体とすることもできる。
【００１５】
また、前記軸部材は、傘生地の略中心部位及び前記先端部材を端部に固定すると共に、前記移動部材の略軸中心を貫通し、前記移動部材との間を挿通移動自在に配設されたものであるが、傘生地の略中心部位を端部に固定する部品と、前記先端部材を端部に固定する部品と、前記移動部材の略軸中心を貫通する部品とを別部品とし、それを一体化する構成としてもよい。
【００１６】
更にまた、前記操作部材は、前記外筒部材のスリット孔を介して前記軸部材を長さ方向に進退自在とするもので、前記軸部材と一体に形成することもできるし、別部品として形成することもできる。
【００１７】
請求項３の収納自在傘は、請求項１または請求項２に記載の要件に加えて、更に、前記外筒部材及び／または前記操作部材内に配設され、傘の開き側に前記操作部材を付勢する弾性部材と、傘を閉じた際に前記弾性部材の付勢力が及ばないように前記操作部材を保持する保持手段とを具備するものである。
【００１８】
前記弾性部材は圧縮コイルばねや弾性を有するプラスチック材料を用いることができ、外筒部材または操作部材のうちの少なくとも片方内に配設され傘の開き側に操作部材を付勢する部材であるが、その付勢力が傘を閉じた際には保持手段によって操作部材に及ぶことがないように操作部材またはそれと一体の部材が保持される。
【００１９】
請求項４の収納自在傘は、請求項３に記載の要件に加えて、前記保持手段を、前記外筒部材のスリット孔の手元端を略Ｊ字状とし、傘を閉じた状態で、前記操作部材を前記スリット孔の略Ｊ字状の手元端に係合するものである。
【００２０】
ここで、保持手段を達成するための前記外筒部材のスリット孔に形成された略Ｊ字状の手元端の形状としては、前記操作部材がスリット孔に沿って手元端側に移動されて傘が閉じられた状態となり、更にその略Ｊ字状の手元端を通って操作部材が移動され係合されたのちでは、操作部材をスリット孔の略Ｊ字状の手元端を再び通過させて係合を解除しないと、傘を開き状態とするためのスリット孔に移動できないような形状を意図しており、Ｌ字状またはＬ字状に近い形状も含むものである。
【００２１】
請求項５の収納自在傘は、請求項１乃至請求項３に記載の要件に加えて、更に、前記複数の傘骨に摺動自在に配設され、先端に前記傘生地の外周部を取付けた取付部材と、前記傘生地に張力が加わる方向に前記取付部材を付勢する弾性部材とを具備するものである。      
【００２２】
ここで、前記傘生地の外周部が取付けられた前記取付部材は、前記複数の傘骨の先端に挿嵌されて摺動自在に配設された部品であり、弾性部材としてのばね部品によって取付部材を介して傘生地に張力が加わる方向に付勢される。
【００２３】
請求項６の収納自在傘は、請求項１乃至請求項３、請求項５に記載の要件に加えて、更に、前記外筒部材のスリット孔の先端を略Ｊ字状とし、傘を開いた状態で、前記操作部材を前記スリット孔の略Ｊ字状の先端に係合するものである。
【００２４】
ここで、前記外筒部材のスリット孔に形成された略Ｊ字状の先端の形状としては、前記操作部材がスリット孔に沿って先端側に移動されて傘が開かれた状態となり、更にその略Ｊ字状の先端を通って操作部材が移動され係合されたのちでは、操作部材をスリット孔の略Ｊ字状の先端を再び通過させて係合を解除しないと、傘を閉じ状態とするためのスリット孔に移動できないような形状を意図しており、Ｌ字状またはＬ字状に近い形状も含むものである。
【００２５】
請求項７の収納自在傘は、請求項１乃至請求項３、請求項５、請求項６に記載の要件に加えて、更に、前記操作部材と前記移動部材とは、相互間を永久磁石で吸引させることによって相互間の距離を維持するものである。
【００２６】
前記操作部材と前記移動部材との材質に応じて、片方が磁性材料からなる部品、または両方が磁性材料からなる部品である場合には、他方または何れか一方に永久磁石からなる部品を取付けるだけで相互間が吸引されることとなり、両方が非磁性材料からなる部品である場合には、一方に永久磁石、かつ、他方に磁性材料からなる部品を取付けることで相互間が吸引されることとなって、相互間の距離が維持される。
【発明の効果】
【００２７】
請求項１の収納自在傘によれば、外筒部材には傘生地の雨滴を受ける側が、傘を閉じた際に内側となって収納され、その長さ方向にはスリット孔が形成されており、また、傘生地が張られた複数の傘骨の各々の中間部位が複数の支骨の一端にて軸支され、それら複数の支骨の他端が軸支された移動部材が外筒部材の内壁面に沿って進退自在に配設され、傘を開く際に移動部材の移動が、外筒部材の端部にて規制部材によって停止され、そして、傘生地の略中心部位が端部に固定され、かつ、複数の傘骨の根元端が端部で軸支された先端軸部材が、移動部材の軸中心を貫通して摺動自在に配設されており、この先端軸部材の他端部に固定され、外筒部材に配設された操作部材によって、外筒部材のスリット孔を介して先端軸部材が長さ方向に進退自在とされる。
【００２８】
このため、傘を開く際には、外筒部材のスリット孔を介して操作部材を操作し、先端軸部材、傘骨、支骨、移動部材等が外筒部材内を移動され、移動部材が外筒部材の端部の規制部材にて停止されると、移動部材の軸中心を先端軸部材が摺動されることで傘骨等が傘の開き側となり、最終的に操作部材が外筒部材のスリット孔の先端に当接することで傘骨等が傘の開き側、即ち、傘に張られた傘生地が開かれるため、外筒部材の手元端が支持されることで傘の使用状態とされる。
【００２９】
一方、傘を開いた状態から閉じる際には、操作部材が外筒部材のスリット孔を介して逆方向に移動される。この際、傘の使用状態で傘生地に付着した雨滴は、傘生地の雨滴を受ける側が、傘を閉じた際に内側となって外筒部材に収納されることとなるため雨滴の周囲への飛散が少なく、このまま外筒部材の先端側を上にして持ち歩けば、傘本体が外筒部材内に収納状態であるため雨滴が周囲に付着して迷惑をかけることもないという効果が得られる。
【００３０】
請求項２の収納自在傘によれば、外筒部材には傘生地の雨滴を受ける側が、傘を閉じた際に内側となって収納され、その長さ方向にはスリット孔が形成されており、また、傘生地が張られた複数の傘骨の各々の中間部位が複数の支骨の一端にて軸支され、それら複数の支骨の他端が軸支された移動部材が外筒部材の内壁面に沿って進退自在に配設され、傘を開く際に移動部材の移動が、外筒部材の端部にて規制部材によって停止され、そして、複数の傘骨の根元端が先端部材によって軸支され、傘生地の略中心部位及び先端部材が端部に固定され、かつ、移動部材の軸中心を貫通して摺動自在に軸部材が配設されており、この軸部材の他端部に固定され、外筒部材に配設された操作部材によって、外筒部材のスリット孔を介して軸部材が長さ方向に進退自在とされる。
【００３１】
このため、傘を開く際には、外筒部材のスリット孔を介して操作部材を操作し、軸部材、先端部材、傘骨、支骨、移動部材等が外筒部材内を移動され、移動部材が外筒部材の端部の規制部材にて停止されると、移動部材の軸中心を軸部材が摺動されることで傘骨等が傘の開き側となり、最終的に操作部材が外筒部材のスリット孔の先端に当接することで傘骨等が傘の開き側、即ち、傘に張られた傘生地が開かれるため、外筒部材の手元端が支持されることで傘の使用状態とされる。
【００３２】
一方、傘を開いた状態から閉じる際には、操作部材が外筒部材のスリット孔を介して逆方向に移動される。この際、傘の使用状態で傘生地に付着した雨滴は、傘生地の雨滴を受ける側が、傘を閉じた際に内側となって外筒部材に収納されることとなるため雨滴の周囲への飛散が少なく、このまま外筒部材の先端側を上にして持ち歩けば、傘本体が外筒部材内に収納状態であるため雨滴が周囲に付着して迷惑をかけることもないという効果が得られる。
【００３３】
請求項３の収納自在傘では、更に、操作部材が傘の開き側に付勢されるよう外筒部材及び／または操作部材内に配設された弾性部材の付勢力が、傘を閉じた際に操作部材に及ばないように保持手段によって保持されるから、請求項１または請求項２に記載の効果に加えて、傘を閉じた際の外筒部材内への傘収納状態から傘を開く側への移行が適宜、保持手段によって設定できるという効果が得られる。
【００３４】
請求項４の収納自在傘では、保持手段は外筒部材のスリット孔の手元端が略Ｊ字状とされ、傘を閉じた状態で、操作部材がスリット孔の略Ｊ字状の手元端に係合されるものであるから、請求項３に記載の効果に加えて、傘を閉じた状態における外筒部材内への傘収納状態が、操作部材をスリット孔の略Ｊ字状の手元端に係合するだけで確実に保持されるという優れた操作性が得られる。
【００３５】
請求項５の収納自在傘では、更に、複数の傘骨に摺動自在に配設され、かつ、先端に傘生地の外周部が取付けられた取付部材が、弾性部材によって傘生地に張力が加わる方向に付勢されるから、請求項１乃至請求項３に記載の効果に加えて、傘を閉じた状態と傘を開いた状態との途中で傘生地に無理な張力が加わることなく、かつ、傘を開いた状態の傘生地に所定の張り具合が得られる。
【００３６】
請求項６の収納自在傘では、更に、外筒部材のスリット孔の先端が略Ｊ字状とされ、傘を開いた状態で、操作部材がスリット孔の略Ｊ字状の先端に係合されるものであるから、請求項１乃至請求項３、請求項５に記載の効果に加えて、傘を開いた状態が、操作部材をスリット孔の略Ｊ字状の先端に係合するだけで確実に保持されるという優れた操作性が得られる。
【００３７】
請求項７の収納自在傘では、更に、操作部材と移動部材とは、相互間を永久磁石で吸引されることによって相互間の距離が維持され、傘を開いた状態が保持されるものであるから、請求項１乃至請求項３、請求項５、請求項６に記載の効果に加えて、傘を開いた状態にあっては、相互間に永久磁石の磁力による吸引力が働いて操作部材と移動部材との相互間の距離が維持、即ち、傘の開いた状態が良好に保持されるという優れた操作性が得られる。
【発明を実施するための最良の形態】
【００３８】
以下、本発明の実施の形態について、図面に基づいて説明する。
【００３９】
図１は本発明の一実施の形態にかかる収納自在傘の全体構成を示す断面図である。また、図２は図１の要部構成を示す部分拡大断面図、図３は図１の外筒部材のスリット孔形状と操作部材との関係を示す部分拡大図、図４は図１の傘骨の先端の要部構成及びその動作を示す部分拡大図である。そして、図５、図６及び図７は本実施の形態における収納自在傘の閉じ側から開き側への動作を示す部分拡大断面図である。なお、本実施の形態における傘骨等の本数は適宜、省略して示す。
【００４０】
図１乃至図４において、１００は傘を閉じた収納状態を示す収納自在傘であり、収納自在傘１００は主として、傘生地１が張られた複数の傘骨１０、複数の傘骨１０を支持する複数の支骨２０、傘本体を収納する円筒状でその周面の長さ方向にスリット孔３３が形成された外筒部材３０、この内壁面３１に沿って進退自在な移動部材４０、移動部材４０の動きを外筒部材３０の端部３２にて停止する規制部材５０、移動部材４０の軸中心を貫通して摺動自在な軸部材６０、軸部材６０の先端６１に傘生地１と共に固定された先端部材７０、軸部材６０の後端６２に固定され、外筒部材３０のスリット孔３３を介して軸部材６０を補助部材８５を伴って進退自在とする操作部材８０から構成されている。
【００４１】
ここで、複数の傘骨１０の根元端１１は、先端部材７０に軸支されており、これら複数の傘骨１０の各々の中間部位１２を先端２１にて支持する複数の支骨２０の根元端２２は、移動部材４０に軸支されている。また、例えば、布地またはビニール地等からなる傘生地１は、傘骨１０の長さ寸法や本数に基づく角度に合わせて裁断された二等辺三角形の隣合った等辺同士が縫製または接合等され形成されている。そして、傘生地１の多角形の頂点部位２が傘骨１０の先端１３に摺動自在に配設された取付部材１５に取付けられ、また、傘生地１の略中心部位３及び先端部材７０が、軸部材６０の先端６１にねじ６６にてねじ止め固定されている。なお、取付部材１５は、ばね１８によって傘生地１が引張られる方向となる傘骨１０の先端１３側に常時付勢されており、傘骨１０に固定された当接部材１４及びばね座１９によりその移動範囲が規制されている。
【００４２】
更に、外筒部材３０の周面の長さ方向に形成されたスリット孔３３における傘の閉じ側では、そのスリット孔３３が径方向及び傘の開き側に延長され、Ｊ字状の手元端３３ａが形成されている。そして、外筒部材３０の手元端にはキャップ部材３５が配設され、このキャップ部材３５には補助部材８５を介して軸部材６０の後端６２にねじ８６にてねじ止め固定された操作部材８０を、傘の開き側に付勢するばね３８が配設されている。
【００４３】
次に、収納自在傘１００において、傘を閉じた状態から開いた状態とする際の動作及び傘の使用状態について、図１乃至図７を参照して説明する。
【００４４】
まず、図１乃至図３に示すように、収納自在傘１００における傘を閉じた状態では、操作部材８０が外筒部材３０のスリット孔３３のＪ字状の手元端３３ａに係合状態とされている。この状態にあっては、操作部材８０が固定されている軸部材６０等も係合状態となっており、傘本体が外筒部材３０内に完全に収納されている。
【００４５】
そこで、傘を開く際には、図３に示す外筒部材３０のスリット孔３３のＪ字状の手元端３３ａからスリット孔３３に沿って操作部材８０がばね３８の付勢力に抗して移動されることで係合状態が解除される。すると、操作部材８０は外筒部材３０のスリット孔３３を介して傘の開き側に移動自在となる。
【００４６】
次に、操作部材８０が外筒部材３０のスリット孔３３を介して傘の開き側に操作されると、操作部材８０に補助部材８５を介して固定された軸部材６０が傘の開き側に移動される。この軸部材６０の傘の開き側への移動に伴って、先端部材７０、この先端部材７０に軸支されている傘骨１０、この傘骨１０に取付けられた傘生地１、支骨２０、移動部材４０等が外筒部材３０内への収納状態と同じ状態のまま傘の開き側に移動されることとなる。
【００４７】
このように、操作部材８０が外筒部材３０のスリット孔３３を介して傘の開き側に操作されると、図５に示すように、移動部材４０の先端が外筒部材３０の端部３２に固定されている規制部材５０に当接されることとなる。この状態となるまで、傘骨１０等は、傘の開き側に動作されることなく、外筒部材３０内への収納状態のままである。この移動部材４０が規制部材５０に当接した状態から、更に、操作部材８０が外筒部材３０のスリット孔３３を介して傘の開き側に操作されると、移動部材４０は規制部材５０に当接されているため、軸部材６０が移動部材４０の軸中心を摺動され、移動部材４０から徐々に突出される。
【００４８】
すると、軸部材６０に固定された先端部材７０に軸支された傘骨１０の中間部位１２が、移動部材４０に軸支された支骨２０にて支持されているため、傘骨１０は先端部材７０に軸支された根元端１１を支点として傘の使用状態となる方向に徐々に開かれる。そして、図６に示すように、傘骨１０の方向が軸部材６０と垂直となるときには、図４（ｂ）に示すように、傘生地１がその略中心部位３に対して最も引張られた状態となり、傘骨１０の先端１３で傘生地１が取付けられると共に、摺動自在に配設されている取付部材１５が、ばね１８の付勢力に抗して傘骨１０の根元端１１側に移動される。
【００４９】
更に、操作部材８０の傘の開き側への移動操作により、軸部材６０が移動部材４０の軸中心を摺動され、図７に示すように、移動部材４０と操作部材８０に固定され一体的な補助部材８５とが当接されることで、最終的に収納自在傘１００の使用状態とされる。このとき、操作部材８０は外筒部材３０のスリット孔３３の傘の開き側となる先端位置まで操作されることとなる。
【００５０】
このように、本実施の形態の収納自在傘１００は、傘生地１の雨滴を受ける側が、傘を閉じた際に内側となって収納され、その長さ方向にスリット孔３３が形成された外筒部材３０と、傘生地１が張られた複数の傘骨１０の各々の中間部位１２を先端２１にて軸支した複数の支骨２０の根元端２２を軸支すると共に、外筒部材３０の内壁面３１に沿って進退自在に配設された移動部材４０と、傘を開く際に移動部材４０の移動を外筒部材３０の端部３２で停止させる規制部材５０と、複数の傘骨１０の根元端１１を端部で軸支する先端部材７０と、傘生地１の略中心部位３及び先端部材７０を先端６１に固定すると共に、移動部材４０の軸中心を貫通して摺動自在に配設された軸部材６０と、軸部材６０の後端６２に固定され、外筒部材３０のスリット孔３３を介して軸部材６０を長さ方向に進退自在とする外筒部材３０に配設された操作部材８０とを具備するものである。
【００５１】
つまり、外筒部材３０には傘生地１の雨滴を受ける側が、傘を閉じた際に内側となって収納され、その長さ方向にはスリット孔３３が形成されており、また、傘生地１が張られた複数の傘骨１０の各々の中間部位１２が複数の支骨２０の先端２１にて軸支され、それら複数の支骨２０の根元端２２が軸支された移動部材４０が外筒部材３０の内壁面３１に沿って進退自在に配設され、傘を開く際に移動部材４０の移動が、外筒部材３０の端部３２にて規制部材５０によって停止され、そして、複数の傘骨１０の根元端１１が先端部材７０によって軸支され、傘生地１の略中心部位３及び先端部材７０が軸部材６０の先端６１に固定され、かつ、移動部材４０の軸中心を貫通して摺動自在に軸部材６０が配設されており、この軸部材６０の後端６２に固定され、補助部材８５を伴って外筒部材３０の外周囲に配設された操作部材８０によって、外筒部材３０のスリット孔３３を介して軸部材６０が長さ方向に進退自在とされる。
【００５２】
このため、傘を開く際には、外筒部材３０のスリット孔３３を介して操作部材８０が操作されることで、軸部材６０、先端部材７０、傘骨１０、支骨２０、移動部材４０等が外筒部材３０内を移動され、移動部材４０が外筒部材３０の端部３２の規制部材５０にて停止されると、移動部材４０の軸中心を軸部材６０が摺動されることで傘骨１０等が傘の開き側となり、最終的に操作部材８０が外筒部材３０のスリット孔３３の先端に当接されることで傘骨１０等が傘の開き側、即ち、傘に張られた傘生地１が開かれ、外筒部材３０の手元端が支持されることで傘の使用状態とされる。
【００５３】
一方、傘を開いた状態から閉じる際には、操作部材８０が外筒部材３０のスリット孔３３を介して逆方向に操作される。この際、傘の使用状態で傘生地１に付着した雨滴は、傘生地１の雨滴を受ける側が、傘を閉じた際に内側となって外筒部材３０に収納されることとなるため雨滴の周囲への飛散が少なく、このまま外筒部材３０の先端側を上にして持ち歩けば、傘本体が外筒部材３０内に収納状態であるため雨滴が周囲に付着して迷惑をかけることもないという効果が得られる。
【００５４】
また、本実施の形態の収納自在傘１００は、更に、外筒部材３０内に配設され、傘の開き側に操作部材８０を付勢する弾性部材としてのばね３８と、傘を閉じた際にばね３８の付勢力が及ばないように操作部材８０を保持する保持手段とを具備するものである。そして、本実施の形態の収納自在傘１００は、前記保持手段を外筒部材３０のスリット孔３３の手元端を略Ｊ字状とし、傘を閉じた状態で、操作部材８０をスリット孔３３のＪ字状の手元端３３ａに係合するものである。
【００５５】
つまり、傘の開き側に付勢されるよう外筒部材３０内に配設されたばね３８の付勢力が、傘を閉じた際に操作部材８０に及ばないように外筒部材３０に形成されたスリット孔３３のＪ字状の手元端３３ａに操作部材８０が係合されることによって外筒部材３０内への傘収納状態が確実に保持されるという優れた操作性が得られる。また、傘を閉じた状態の外筒部材３０内への傘収納状態から傘を開く側への移行が適宜、操作部材８０によって設定できるという効果が得られる。
【００５６】
そして、本実施の形態の収納自在傘１００は、更に、複数の傘骨１０に摺動自在に配設され、先端１３に傘生地１の外周部を取付けた取付部材１５と、傘生地１に張力が加わる方向に取付部材１５を付勢する弾性部材としてのばね１８とを具備するものである。つまり、複数の傘骨１０に摺動自在に配設され、かつ、先端１３に傘生地１の外周部が取付けられた取付部材１５が、ばね１８によって傘生地１が張られる方向に付勢されるから、傘を閉じた状態と傘を開いた状態との途中で傘生地１に無理な張力が加わることなく、かつ、傘を開いた際の傘生地１に所定の張り具合が得られる。
【００５７】
なお、収納自在傘１００の使用状態において、外筒部材３０のスリット孔３３の先端形状は、操作部材８０に固定された補助部材８５が移動部材４０に当接する側に付勢され、傘が開き側に保持される状態となり、傘の支骨２０が規制部材５０に当接されることとなるため、操作部材８０が停止されるだけの端面形状でもよい。
【００５８】
しかしながら、傘を開いた状態において、傘生地１の雨滴を受ける側の略中心部位３付近に風等によって強い力がかかると、軸部材６０が移動部材４０の軸中心を摺動し傘の閉じ側に移動する可能性が想定される。この対策としては、外筒部材３０のスリット孔３３の先端を手元端と逆向きの略Ｊ字状とし、傘を開いた際に、操作部材８０をスリット孔３３の略Ｊ字状の先端に係合させればよい。このとき、操作部材８０と一体的な補助部材８５と移動部材４０との間に弾性部材としてのばねを介在させれば、傘の開き状態が不用意に解除されず、より確実に保持されることとなる。
【００５９】
このような収納自在傘は、更に、外筒部材３０のスリット孔３３の先端を略Ｊ字状とし、傘を開いた状態で、操作部材８０をスリット孔３３の略Ｊ字状の先端に係合するものであり、このような構成によれば、傘を開いた状態がより確実に保持されるという効果がある。
【００６０】
また、操作部材８０と一体的な補助部材８５と移動部材４０との材質として、例えば、補助部材８５が磁性材料、また、移動部材４０が非磁性材料からなるときには、図８に示すように、移動部材４０における補助部材８５との当接面に永久磁石４５を埋設した構造とすると、傘を開いた状態で、操作部材８０の補助部材８５に移動部材４０の永久磁石４５が吸着されることによって操作部材８０と移動部材４０とが接合状態を維持され傘の開き状態に保持させることができる。
【００６１】
このような収納自在傘は、更に、操作部材８０と移動部材４０とは、相互間を永久磁石４５で吸引させることによって相互間の距離を維持するものであり、このような構成によれば傘を開いた状態が良好に保持される。
【００６２】
ところで、上記実施の形態では、軸部材６０と先端部材７０とを別々の部材として構成したが、本発明を実施する場合には、これに限定されるものではなく、軸部材６０と先端部材７０とを一体化して１つの先端軸部材として構成することもできる。このような収納自在傘は、請求項１にかかる実施の形態に対応するものであり、上述の実施の形態と同様の作用・効果が期待できる。
【図面の簡単な説明】
【００６３】
【図１】図１は本発明の一実施の形態にかかる収納自在傘の全体構成を示す断面図である。
【図２】図２は図１の要部構成を示す部分拡大断面図である。
【図３】図３は図１の外筒部材のスリット孔形状と操作部材との関係を示す部分拡大図である。
【図４】図４は本発明の一実施の形態にかかる収納自在傘の傘骨の先端の要部構成及びその動作を示す部分拡大図である。
【図５】図５は本発明の一実施の形態における収納自在傘の閉じ側から開き側への動作を示す部分拡大断面図である。
【図６】図６は本発明の一実施の形態における収納自在傘の閉じ側から開き側への図５に続く動作を示す部分拡大断面図である。
【図７】図７は本発明の一実施の形態における収納自在傘の閉じ側から開き側への図６に続く動作による傘の使用状態を示す部分拡大断面図である。
【図８】図８は図７において永久磁石を用いた保持状態を示す部分拡大断面図である。
【符号の説明】
【００６４】
１    傘生地
１０    傘骨
１２    中間部位
１５    取付部材
１８    ばね
２０    支骨
３０    外筒部材
３１    内壁面
３３    スリット孔
３３ａ  （スリット孔の）Ｊ字状の手元端
３８    ばね
４０    移動部材
４５    永久磁石
５０    規制部材
６０    軸部材
７０    先端部材
８０    操作部材
１００    収納自在傘
【図１】
2006262957.tif 000003
【図２】
2006262957.tif 000004
【図３】
2006262957.tif 000005
【図４】
2006262957.tif 000006
【図５】
2006262957.tif 000007
【図６】
2006262957.tif 000008
【図７】
2006262957.tif 000009
【図８】
2006262957.tif 000010